(57)【特許請求の範囲】
【請求項１】
水が流入して貯蔵される内部空間を有し、複数のダイヤフラムが昇降可能に底面部に備えられた水槽；
前記水槽の底面部に設置され、一側で水が流入して他側で排出するように流通路が形成され、前記ダイヤフラムによって水の流動を遮断することが可能な複数の開閉部が前記流通路の流動経路に形成された流動ボディー；
前記水槽の内部空間で水の水位に応じて昇降する複数のフローター；及び
前記フローターの上昇によって前記ダイヤフラムを前記開閉部側に移動させることで、前記開閉部を通過する水の流動を遮断させる作動手段；を含むことを特徴とする、水位調節装置。
【請求項２】
前記水槽には内部空間を分離する隔壁が中央に備えられ、前記隔壁には水の移動通路が形成され、前記隔壁の両側に前記フローターが配置されることを特徴とする、請求項１に記載の水位調節装置。
【請求項３】
前記水槽の底面には、前記フローターにスライド可能に結合されることによって前記フローターの昇降を案内するガイド部材が突設されることを特徴とする、請求項１に記載の水位調節装置。
【請求項４】
前記フローターの底面部には、前記フローターの内部空間に突設され、前記ガイド部材が内部でスライド可能に結合されるスライド部が備えられることを特徴とする、請求項３に記載の水位調節装置。
【請求項５】
前記水槽の内側壁には、垂直に前記フローターの昇降を支持するリブが形成されることを特徴とする、請求項１に記載の水位調節装置。
【請求項６】
前記水槽の上部には、前記内部空間を閉鎖するとともに前記水槽の内部空間から外部への空気の流通を許容し、外気に含まれた異物を遮断するエアベントフィルターを含むカバーが備えられることを特徴とする、請求項１に記載の水位調節装置。
【請求項７】
前記エアベントフィルターは抗菌処理機能を有することを特徴とする、請求項６に記載の水位調節装置。
【請求項８】
前記水槽の上端部には、前記カバーの底面部に密着して前記水槽の内部への異物の浸入を遮断するパッキングが備えられることを特徴とする、請求項６に記載の水位調節装置。
【請求項９】
前記カバーの底面の周縁には、前記パッキングの外側面部を取り囲む垂直板が形成され、前記水槽の上部には、前記垂直板の内側面を支持して前記パッキングの底面部を支持する突出部が形成されることを特徴とする、請求項８に記載の水位調節装置。
【請求項１０】
前記パッキングには、前記水槽の上端部が差し込まれる差込溝が形成されることを特徴とする、請求項８に記載の水位調節装置。
【請求項１１】
前記水槽の底面部には、前記ダイヤフラムが内部に設置され、下方に突設され、前記流動ボディーの開閉部に挿着される複数の円形部が一列に形成されることを特徴とする、請求項１に記載の水位調節装置。
【請求項１２】
前記開閉部は、前記円形部が挿着されるように内周壁が円形に形成された固定板を含み、前記固定板の内側下部には、前記円形部の下端部が挿入されるように環状溝が形成されることを特徴とする、請求項１１に記載の水位調節装置。
【請求項１３】
前記開閉部は、
内部を通じて水を下降させる流路が形成され、前記ダイヤフラムの昇降によって開閉が決定される開閉管；
前記開閉管の上部を取り囲み、前記開閉管の下部から前記開閉管の上部への水の流動を案内するための環状流路を提供する環状案内壁；及び
前記環状案内壁の一側下部で前記流通路に連結され、前記環状流路を通じて前記開閉管側への水の流入を許容する連結流路；を含むことを特徴とする、請求項１に記載の水位調節装置。
【請求項１４】
前記開閉管の上端部には、前記ダイヤフラムに密着するように、上向きに緩やかに尖っている接触端が形成されることを特徴とする、請求項１３に記載の水位調節装置。
【請求項１５】
前記作動手段は、
前記水槽の底面部に昇降運動可能にスライド結合され、磁力によって固定可能であり、前記ダイヤフラムに下端部が着脱されるプランジャー；
前記プランジャーの上部で前記プランジャーを加圧することで、複数の前記開閉部を閉鎖することができる加圧力を前記ダイヤフラムに提供するスプリング；及び
前記プランジャーの上部で前記プランジャーを取り囲み、前記フローターの内部に固定され、前記プランジャーが上昇した状態で前記プランジャーに磁力を加えることで、前記スプリングによって付勢されている前記プランジャーの下降運動を固定させる円形磁石；を含むことを特徴とする、請求項１に記載の水位調節装置。
【請求項１６】
前記スプリングの弾性係数が複数の前記開閉部で互いに異なるように設定されることにより、前記開閉部の遮断手順が指定できることを特徴とする、請求項１５に記載の水位調節装置。
【請求項１７】
前記フローターの上部には磁性体が備えられ、前記水槽の上部には、前記フローターの上昇による前記磁性体の接近によって磁力の変化が発生して水槽の満水位を感知する磁気センサーが含まれることを特徴とする、請求項１に記載の水位調節装置。
【請求項１８】
前記磁気センサーは、リードスイッチ、ＭＲセンサーまたはホールセンサーの中でいずれか一つであることを特徴とする、請求項１７に記載の水位調節装置。
【請求項１９】
前記水槽の一面には、前記水槽の満水位を感知する水位センサーがさらに含まれることを特徴とする、請求項１に記載の水位調節装置。
【請求項２０】
前記流通路の経路上に備えられ、流入する原水の流量を制御する定流量バルブをさらに含むことを特徴とする、請求項１に記載の水位調節装置。
【請求項２１】
前記定流量バルブは、前記ダイヤフラムの下側開閉部の内部に備えられることを特徴とする、請求項２０に記載の水位調節装置。
【請求項２２】
前記定流量バルブは、１Ｌ／ｍｉｎ以下となるように流量制御することを特徴とする、請求項２０に記載の水位調節装置。
【発明の詳細な説明】
【発明の詳細な説明】
【０００１】
〔技術分野〕
本発明は水位調節装置に係り、より詳しくは水槽に対する流体の給水を機械的に遮断して水槽の水位を調節する水位調節装置に関するものである。
【０００２】
〔背景技術〕
一般的に、浄水器から浄水がコックによって給水される前に貯蔵されているメインタンクに連結され、メインタンクと同じ水位を有する水槽には、一定水位以上に浄水が貯蔵されれば浄水作動を止めるとともに水槽への浄水の流入を遮断する水位調節装置が取り付けられる。
【０００３】
浄水器の水位調節装置は、水槽の高さに応じる適正位置に設置され、浄水を水槽の内部に案内するボディー部において水位の上昇によって昇降するフローターによって、ボディー部を通過する浄水の流動を遮断することができる開閉バルブと、フローターの上昇によって回転してボディー部に連結された管路の流出口を遮断するバルブ体とを含む。
【０００４】
ここで、バルブ体は、一端部が水槽の一側に回転可能に結合され、他側部がフローターの上昇によって加圧される回転体の上面部一側に固定され、回転体の回転によって、浄水を供給する流出口に挿入して、流出口を通じる浄水の給水を遮断することになる。
【０００５】
この際、バルブ体が回転することができる原理は、フローターの上昇によって、フローターの上面部に支持された回転体が回転運動することによるもので、バルブ体は回転体で旋回運動して流出口に挿入されて流出口を遮断するものである。
【０００６】
そして、回転体はフローターに支持された状態にあり、フローターの運動は回転体の干渉を受けることになり、回転体の回転運動はフローターの上昇運動による従属的な運動である。
【０００７】
したがって、フローターが水槽に密着するか、フローターに連結された開閉バルブの作動において機械的な摩擦が大きくなる場合、フローターは水槽の内部で上昇しにくくなって、ボディー部において開閉バルブによる浄水流動が遮断できなく、フローターの上昇に従動する回転体の作動が止まることになるので、水槽に浄水を給水する流出口も開放した状態を維持することになり、水槽から浄水が溢れて浄水器の故障を引き起こすことができる。
【０００８】
また、フローターの上昇は回転体の干渉を受けているので、回転体の回転に欠陷が発生するか、回転体の内部に浄水が投入されて回転体の自重が増加する場合、フローターの上昇が遅滞するか上昇変位が減少して、開閉バルブの作動及びバルブ体による流出口の閉鎖作用が停止することができ、浄水が水槽の内部に徐々に供給されて水槽からあふれることができる。
【０００９】
そして、水槽で上昇するフローターによる回転体の従属的な運動関係によって水槽の給水を遮断する不完全な二重遮断作用は、フローターの開閉バルブで１次不良が発生し、２次にバルブ体によって流出口が遮断されて水槽への浄水の給水が停止する場合、水槽からの溢水は防止されるが、浄水作用が持続的に行われて、フィルターユニットから生活用水が過多に発生する問題点が発生する。
【００１０】
一方、従来の浄水器において、水槽の上部は大気中に開放しているので、蟻やゴキブリなどの虫が侵入することができ、空気中の一般細菌による感染などの汚染のおそれが高かった。
【００１１】
そして、フローターの上面部に回転体が支持される構成になっているので、水槽の水位が回転体によって制限されて、水槽の浄水のための上部空間が浪費される問題があった。
【００１２】
そして、ボディー部においてフローターの開閉バルブの上流に配設されている減圧バルブの動作騷音、チャタリング騷音など、つまり水槽の最上端前面に位置する水位調節装置の位置特性上、減圧バルブによる騷音が製品の異常騷音の主原因になることもできる。
【００１３】
〔発明の開示〕
〔発明が解決しようとする課題〕
本発明は前述したような従来技術の問題点を解決するためになされたもので、水槽に対する給水を安定的に遮断して水位を調節し、浄水器の内部の汚染を防止し、水槽の内部空間を経済的に活用し、浄水器の騷音発生を減少させることができる水位調節装置を提供することにその目的がある。
【００１４】
〔課題を解決するための手段〕
前記のような目的を達成するために、本発明は、水が流入して貯蔵される内部空間を有し、複数のダイヤプラムが昇降可能に底面部に備えられた水槽；前記水槽の底面部に設置され、一側で水が流入して他側で排出するように流通路が形成され、前記ダイヤプラムによって水の流動を遮断することが可能な複数の開閉部が前記流通路の流動経路に形成された流動ボディー；前記水槽の内部空間で水の水位に応じて昇降する複数のフローター；及び前記フローターの上昇によって前記ダイヤプラムを前記開閉部側に移動させることで、前記開閉部を通過する水の流動を遮断させる作動手段；を含む、水位調節装置を提供する。
【００１５】
前記水槽には内部空間を分離する隔壁が中央に備えられ、前記隔壁には水の移動通路が形成され、前記隔壁の両側に前記フローターが配置されることができる。
【００１６】
前記水槽の底面には、前記フローターにスライド可能に結合されることによって前記フローターの昇降を案内するガイド部材が突設されることができる。
【００１７】
前記フローターの底面部には、前記フローターの内部空間に突設され、前記ガイド部材が内部でスライド可能に結合されるスライド部が備えられることができる。
【００１８】
前記水槽の内側壁には、垂直に前記フローターの昇降を支持するリブが形成されることができる。
【００１９】
前記水槽の上部には、前記内部空間を閉鎖するとともに前記水槽の内部空間から外部への空気の流通を許容し、外気に含まれた異物を遮断するエアベントフィルターを含むカバーが備えられることができる。
【００２０】
前記エアベントフィルターは抗菌処理機能を有することができる。
【００２１】
前記水槽の上端部には、前記カバーの底面部に密着して前記水槽の内部への異物の浸入を遮断するパッキングが備えられることができる。
【００２２】
前記カバーの底面の周縁には、前記パッキングの外側面部を取り囲む垂直板が形成され、前記水槽の上部には、前記垂直板の内側面を支持して前記パッキングの底面部を支持する突出部が形成されることができる。
【００２３】
前記パッキングには、前記水槽の上端部が差し込まれる差込溝が形成されることができる。
【００２４】
前記水槽の底面部には、前記ダイヤプラムが内部に設置され、下方に突設され、前記流動ボディーの開閉部に挿着される複数の円形部が一列に形成されることができる。
【００２５】
前記開閉部は、前記円形部が挿着されるように内周壁が円形に形成された固定板を含み、前記固定板の内側下部には、前記円形部の下端部が挿入されるように環状溝が形成されることができる。
【００２６】
前記開閉部は、内部を通じて水を下降させる流路が形成され、前記ダイヤプラムの昇降によって開閉が決定される開閉管；前記開閉管の上部を取り囲み、前記開閉管の下部から前記開閉管の上部への水の流動を案内するための環状流路を提供する環状案内壁；及び前記環状案内壁の一側下部で前記流通路に連結され、前記環状流路を通じて前記開閉管側への水の流入を許容する連結流路；を含むことができる。
【００２７】
前記開閉管の上端部には、前記ダイヤプラムに密着するように、上向きに緩やかに尖っている接触端が形成されることができる。
【００２８】
前記作動手段は、前記水槽の底面部に昇降運動可能にスライド結合され、磁力によって固定可能であり、前記ダイヤプラムに下端部が着脱されるプランジャー；前記プランジャーの上部で前記プランジャーを加圧することで、複数の前記開閉部を閉鎖することができる加圧力を前記ダイヤプラムに提供するスプリング；及び前記プランジャーの上部で前記プランジャーを取り囲み、前記フローターの内部に固定され、前記プランジャーが上昇した状態で前記プランジャーに磁力を加えることで、前記スプリングによって付勢されている前記プランジャーの下降運動を固定させる円形磁石；を含むことができる。
【００２９】
前記スプリングの弾性係数が複数の前記開閉部で互いに異なるように設定されることにより、前記開閉部の遮断手順が指定できる。
【００３０】
前記フローターの上部には磁性体が備えられ、前記水槽の上部には、前記フローターの上昇による前記磁性体の接近によって磁力の変化が発生して水槽の満水位を感知する磁気センサーが含まれることができる。
【００３１】
前記磁気センサーは、リードスイッチ、ＭＲセンサーまたはホールセンサーの中でいずれか一つであることができる。
【００３２】
前記水槽の一面には、前記水槽の満水位を感知する水位センサーがさらに含まれることができる。
【００３３】
水位調節装置は、前記流通路の経路上に備えられ、流入する原水の流量を制御する定流量バルブをさらに含むことができる。
【００３４】
前記定流量バルブは、前記ダイヤプラムの下側開閉部の内部に備えられることができる。
【００３５】
前記定流量バルブは、１Ｌ／ｍｉｎ以下となるように流量制御することができる。
【００３６】
〔発明の効果〕
前記のように構成される本発明による水位調節装置は、独立的に作動する複数のフローターによって二重に遮断する機械式バルブを提供することで、１次フローターによる水槽への給水遮断が不良である場合、２次フローターによって水槽への給水を安定的に遮断することができ、水槽への給水を安定的に遮断して水位を調節し、エアベントフィルターが備えられたカバーによって浄水器内部の汚染を防止し、フローターが両側に独立して配置されることにより水槽の内部空間が経済的に活用し、浄水器での騷音発生が減少させることができる効果を得ることができる。
【００３７】
〔発明を実施するための最良の形態〕
本発明の前記のような目的、特徴及び他の利点は添付図面に基づく本発明の好適な実施例の説明からより明らかになるであろう。
【００３８】
以下、添付図面に基づいて、本発明の一実施例による水位調節装置を詳細に説明する。
【００３９】
図１は本発明の一実施例による水位調節装置の斜視図、図２は図１の右側面図、図３は図２のＡ−Ａ線についての断面図、図４は図３に示す水槽の断面図、図５は図４に示す水槽のＢ−Ｂ線についての断面図、図６は流動ボディーの斜視図、図７は図６の平面図、図８は図７のＣ−Ｃ線についての断面図、図９は図７のＤ−Ｄ線についての断面図、図１０は図３の作用図である。
【００４０】
図１〜図３に示すように、本発明の一実施例による水位調節装置は、原水を浄水して貯蔵する水槽１００、水槽１００の下部に結合され、フィルターユニットのセディメントフィルターからプレカーボンフィルター側に流動する原水の流通路１３２を提供する流動ボディー１３０、水槽１００の両側内部空間１０１で水位に応じて昇降するフローター１４０、及びフローター１４０の昇降によって作動する作動手段１５０を含む。
【００４１】
水槽１００は水が流入して貯蔵され、フローター１４０が昇降可能な内部空間１０１が両側に形成され、フローター１４０の昇降と反対に作動手段１５０によって昇降しながら流動ボディー１３０の流通路１３２を開閉する複数のダイヤプラム１０５を底面部に備える。
【００４２】
流動ボディー１３０は水槽１００の底面部に設置され、浄水器フィルターユニットのセディメントフィルターに連結される一側の流入口１３１と他側の排出口１３３を備え、流入口１３１と排出口１３３を連結する流通路１３２が形成され、ダイヤフラム１０５によって水の流動を遮断することが可能な複数の開閉部１３５が流通路１３２の流動経路に形成されている。
【００４３】
この際、フローター１４０は水槽１００の内部空間１０１で水の水位に応じて昇降し、フローター１４０の上昇によってダイヤプラム１０５は作動手段１５０によって開閉部１３５側に移動することで、開閉部１３５を通過する水の流動を遮断させることができる。
【００４４】
ここで、セディメントフィルター側から流動ボディー１３０の流入口１３１側に流入した原水は流動ボディー１３０の開閉部１３５を通過しながらダイヤプラム１０５を上昇させて流通路１３２を通過し、さらに他の開閉部１３５を経ってフィルターユニットのプレカーボンフィルター及びメインフィルターに相当する中空糸膜フィルターまたは逆浸透圧フィルターを通過した後、ポストカーボンフィルターによって浄水になり、水槽１００の内部空間１０１に流入する。
【００４５】
そして、水槽１００に流入した浄水は連結されたメインタンクと同一水位を形成しながらフローター１４０を上昇させ、水槽１００の内部空間１０１はフローター１００の上昇によって浄水のあふれが遮断される一定水位までに至ることができる。流動ボディー１３０の両側下部にある各開閉部１３５のダイヤプラム１０５はフローター１４０に連結されているので、フローター１４０の上昇に連動する作動手段１５０によってダイヤプラム１０５が下降することにより、開閉部１３５を通過する原水の流動が遮断され、フィルターユニットのプレカーボンフィルターの下流側に流動する原水の供給が遮断され、水槽１００及びメインタンクの水位が一定に維持される。
【００４６】
また、水槽１００の中央下部に形成された流出口１０３と連結されているメインタンクのコックを介して水槽１００の水が外部に給水されて水位が下降すれば、フローター１４０は下降し、作動手段１５０によるダイヤプラム１０５の下向加圧力が減少することにより、流動ボディー１３０の流入口１３１を通じて流入した原水の圧力によってダイヤプラム１０５が上昇することができ、流動ボディー１３０の両側にある開閉部１３５が開放して、原水はフィルターユニットのプレカーボンフィルターの下流にある各フィルターに流動することができ、フィルターユニットによる浄水過程を経った後、水槽１００に流入することができ、フローター１４０は水槽に流入する浄水の水位に応じて上昇することができる。
【００４７】
この際、フローター１４０は水槽１００の内部空間１０１を両分して両側に配置され、ダイヤフラム１０５はフローター１４０の下部に備えられる。ダイヤフラム１０５が各フローター１４０の昇降によって独立的に流動ボディー１３０の両側にある開閉部１３５を開閉することにより、一つのフローター１４０が水槽１００で上昇した後、下降が停止するか異常が起こり、一つのダイヤプラム１０５によって開閉部１３５で原水の流動に対する遮断作用が停止するときにも、他のフローター１４０の作動が正常であれば、流動ボディー１３０を通じるプレカーボンフィルター側への原水の流入が安定的に遮断できる。
【００４８】
図４及び図５を参照すれば、水槽１００には、内部空間１０１を分離し、フローター１４０の一側面に対するスライド運動を案内する隔壁１０６が中央に備えられ、隔壁１０６の上部から下部には、緩やかに幅が狭くなる湾曲状の水の移動通路１０７が形成され、隔壁１０６の両側にはフローター１４０が配置される。
【００４９】
また、水槽１００の底面には、フローター１４０の下部から内部にスライド結合されることにより、フローター１４０の昇降を案内するガイド部材１１０が突設されている。
【００５０】
これに対応し、フローター１４０の底面部には、フローター１４０の内部空間１０１に突設され、ガイド部材１１０が内部にスライド可能に結合される断面円形のスライド部１４１が備えられる。
【００５１】
そして、水槽１００の内側壁には、垂直にフローター１４０の昇降を支持するリブ１１１が形成されることにより、水槽１００の内側壁とフローター１４０が接触する面積が減少し、フローター１４０の昇降時に作用する摩擦力が減少することができ、フローター１４０が水槽１００の内部で水位に応じて容易に昇降することができる。
【００５２】
また、水槽１００の上部には、内部空間１０１を閉鎖しながらも水槽１００の内部空間１０１から外部への空気の流通を許容し、外気に含まれた異物を遮断することができ、抗菌機能が付与されたエアベントフィルター１１６を含み、ポストカーボンフィルター側に連結される吸水口１０２が一側に形成されたカバー１１５が備えられることにより、水槽１００の水位に応じて、水槽１００の内部と外部の圧力がエアベントフィルター１１６を通じる空気流通によって平衡を維持することができる。
【００５３】
この際、水槽１００の上端部には、カバー１１５の底面部に密着して、水槽１００の内部への異物の浸入を遮断するパッキング１２７が備えられることにより、カバー１１５と水槽１００の間に生ずる隙間が遮断され、カバー１１５と水槽１００の間に生ずる隙間を通じる水槽１００の内部への微細ほこり、虫などの流入が遮断されるので、水槽１００の内部に対する衛生状態を確かに維持することができる。
【００５４】
さらに、カバー１１５の底面の周縁には、パッキング１２７の外側面部を取り囲む垂直板１１９が形成され、水槽１００の上部には、垂直板１１９の内側面を支持するとともにパッキング１２７の底面部を支持する突出部１２０が形成されることができる。
【００５５】
また、パッキング１２７には水槽１００の上端部が差し込まれる差込溝１２８が形成されることにより、パッキング１２７が水槽の上端部から側方向に離脱することが防止して堅く固定することができる。
【００５６】
水槽１００の底面部には、ダイヤプラム１０５が内部に設置され、下方に突設され、流動ボディー１３０の開閉部１３５に挿着される複数の円形部１１７が一列に形成されている。この際、円形部１１７と開閉部１３５の結合によって、水槽１００の底面部に流動ボディー１３０が容易に結合できる。
【００５７】
また、円形部１１７の上面部にガイド部材１１０が形成され、ガイド部材１１０の内部にダイヤプラム１０５の作動を制御する作動手段１５０が配置されることにより、流動ボディー１３０の開閉部１３５による原水の流動は円形部１１７を通じる作動手段１５０によって制御可能であり、水槽１００と流動ボディー１３０は作動手段１５０が含まれた円形部１１７と開閉部１３５を介して結合されることにより、コンパクトな結合構造に組み立て可能である。
【００５８】
より詳細に、図６〜図９を参照すれば、開閉部１３５は、円形部１１７が挿着できるように、内周壁が円形に形成された固定板１３６を含み、固定板１３６の内側下部には、円形部１１７の下端部が挿入される環状溝１３７が形成される。
【００５９】
また、開閉部１３５は、流通路１３２で水を下降させる流路を形成し、ダイヤプラム１０５の昇降によって開閉が決定される開閉管１３８と、開閉管１３８の上部を取り囲み、開閉管１３８の下部から開閉管１３８の上部に水の上向流動を案内するための環状流路１３９ａを提供する環状案内壁１３９と、環状案内壁１３９の一側下部で流通路１３２に連結され、流通路１３２から環状流路１３９ａへの水の流動を許容することにより、流通路１３２から開閉管１３８への水の流入を許容する連結流路１３９ｂとを含む。
【００６０】
この際、開閉管１３８の上端部には、ダイヤプラム１０５に密着するように、上向きに緩やかに尖っている接触端１３８ａが形成されることにより、ダイヤプラム１０５と開閉管１３８の上端部の密着性が高くなり、開閉管１３８の上方に流出しようとする原水はダイヤプラム１０５によってより確かに遮断できる。
【００６１】
そして、作動手段１５０は、水槽１００の底面部に昇降運動可能にスライド結合され、磁力によって昇降運動が固定可能であり、ダイヤフラム１０５に下端部が連結されたプランジャー１５１、プランジャー１５１の上部でプランジャー１５１を付勢することで、開閉部１３５を閉鎖することができる加圧力をダイヤプラム１０５に提供するスプリング１５２、及びプランジャー１５１の上部でプランジャー１５１を取り囲み、フローター１４０の内部に固定され、プランジャー１５１が上昇した状態でプランジャー１５１に磁力を加えることで、スプリング１５２によって付勢されているプランジャー１５１の下降運動を固定させる円形磁石１５３を含む。
【００６２】
図１０を参照すれば、流動ボディー１３０の流入口１３１に原水が流入することにより、ダイヤプラム１０５が原水の水圧によって上昇し、プランジャー１５１が円形磁石１５３の磁力によって固定され、ダイヤプラム１０５の開閉管１３８の開放が維持されている状態で、作動手段１５０による開閉部１３５の開閉作用はつぎのようである。
【００６３】
流動ボディー１３０に原水が流入し続いて水槽１００の水位が上昇してフローター１４０が上昇し、よってフローター１４０の底面でスライド部１４１を取り囲んでいる円形磁石１５３が上昇すれば、プランジャー１５１に及び得る円形磁石１５３の磁力は円形磁石１５３がプランジャー１５１の上部を離脱するにつれて急減し、プランジャー１５１はスプリング１５２の弾性力によって下降し、プランジャー１５１の下降によって、それぞれの開閉部１３５の上方にあるダイヤプラム１０５の真中に形成された小孔１０５ａが詰まり、ダイヤフラム１０５の上部と下部の間で圧力差が発生する。
【００６４】
すなわち、ダイヤフラム１０５の下部で水圧による下部の投映面積がダイヤプラムの上部１０５の投映面積より小さく、断面積の差によって水圧の差が発生し、ダイヤフラム１０５は下降して開閉部１３５の開閉管１３８を閉鎖することになり、開閉管１３８から環状流路１３９ａ及び連結流路１３９ｂを通じるプレカーボンフィルター側への原水の流動が遮断される。ここで、ダイヤフラム１０５は配管のバルブの分野で一般的な技術事項に属するので、その具体的な作動原理の説明は省略する。
【００６５】
水槽内部の水位が低くなれば、フローター１４０は下降し、フローター１４０が水槽の底面に至れば、フローター１４０内部の円形磁石１５３の磁力がプランジャー１５１に影響を与えることになる。フローター１４０がまったく下降すると、フローター内部の円形磁石１５３による磁力がプランジャー１５１の重さ、スプリング１５２の剛性による力、水圧によってプランジャー１５１を押す力より大きくなることにより、プランジャー１５１が上昇し、プランジャー１５１の真中に円形磁石１５３が位置することになる。
【００６６】
この際、円形磁石１５３の磁力によってプランジャー１５１が上昇し、ダイヤフラム１０５の上部に作用する圧力が減少するにつれて、ダイヤプラム１０５に作用する上部と下部の力の均衡が破れ、流入口１３１を通じる原水の流入水圧による力でダイヤプラム１０５がさらに上昇することになり、開閉管１３８が開いて原水がプレカーボンフィルター側に供給される。
【００６７】
ここで、それぞれの開閉部１３５の上部でプランジャー１５１を支持するスプリング１５２の弾性係数がそれぞれの開閉部１３５に相異して提供されることができれば、ダイヤプラム１０５による開閉管１３８の開閉作用の順序を付与することができる。
【００６８】
すなわち、弾性係数の大きなスプリング１５２によって支持されたプランジャー１５１は円形磁石１５３の磁力を克服するスプリング１５２の弾性力が先に作用するので、ダイヤプラム１０５は弾性係数の小さなスプリング１５２側のプランジャー１５１よりダイヤプラム１０５を先に下降させることになり、開閉部１３５での開閉管１３８の閉鎖はいつも弾性係数の高いダイヤプラム１０５が動作することになり、相対的に小さな弾性係数を持つスプリング１５２によって支持されたプランジャー１５１は、弾性係数の高いダイヤプラム１０５が動作しない場合、少しの水位差を置いてダイヤプラム１０５を下降させて開閉部１３５を閉鎖することができる。
【００６９】
一方、フローター１５１の上部には磁性体としてＮＤ磁石１５４が備えられ、水槽１００の上部には、フローター１４０の上昇によるＮＤ磁石１５４の接近によって磁力の変化が発生して水槽１００の満水位を感知する磁気センサー１５５が備えられる。この際、磁気センサー１５５は、リードスイッチ、ＭＲセンサーまたはホールセンサーの中でいずれか一つが使用可能である。
【００７０】
また、水槽１００の一側面には、水槽１００内の満水位を感知するための水位センサー１６０が備えられることができる。水位センサー１６０が備えられることにより、フローター１４０の誤作動による満水位の誤感知の問題を解決することができる。水路１００内の満水位を測定するために、磁気センサー１５５と水位センサー１６０を同時に適用することもでき、別に適用することもできることは言うまでもない。
【００７１】
ここで、流動ボディー１３０の流通路１３２の経路上には、流動する原水の流量を制御するために、定流量バルブ１７０がさらに含まれることができる。特に、ダイヤフラム１０５の下側開閉部１３５の内部に備えられて、水路１００の水位を調節することができる。本発明における定流量バルブ１７０は、１Ｌ／ｍｉｎ以下となるように流量を制御して、高流速による浄水機能低下の問題を解決することができる。また、使用者の必要に応じて流量の増減を制御しようとするとき、定流量バルブ１７０の操作によってこれを解決することができる。
【００７２】
以上、本発明の好適な実施例を説明したが、本発明は前述した特定の実施例に限定されない。すなわち、本発明が属する技術分野で通常の知識を持った者であれば、特許請求範囲の思想及び範疇を逸脱することなしに、本発明の多様な変更及び修正が可能であり、そのようなすべての適切な変更及び修正も本発明の範囲に属するものとして見なされなければならない。
【００７３】
〔産業上の利用可能性〕
本発明は、水槽に対する流体の給水を機械的に遮断して水槽の水位を調節する水位調節装置に適用可能である。
【図面の簡単な説明】
【００７４】
【図１】本発明の一実施例による水位調節装置の斜視図である。
【図２】図１の右側面図である。
【図３】図２のＡ−Ａ線についての断面図である。
【図４】図３に示す水槽の断面図である。
【図５】図４に示す水槽のＢ−Ｂ線についての断面図である。
【図６】流動ボディーの斜視図である。
【図７】図６の平面図である。
【図８】図７のＣ−Ｃ線についての断面図である。
【図９】図７のＤ−Ｄ線についての断面図である。
【図１０】図３の作用図である。
【００７５】
〔符号の説明〕
１００    水槽
１０１    内部空間
１０５    ダイヤフラム
１０６    隔壁
１０７    移動通路
１１０    ガイド部材
１１１    リブ
１１５    カバー
１１６    エアベントフィルター
１１７    円形部
１１９    垂直板
１２０    突出部
１２７    パッキング
１２８    差込溝
１３０    流動ボディー
１３２    流通路
１３５    開閉部
１３６    固定板
１３７    環状溝
１３８    開閉管
１３８ａ    接触端
１３９    環状案内壁
１３９ａ    環状流路
１３９ｂ    連結流路
１４０    フローター
１４１    スライド部
１５０    作動手段
１５１    プランジャー
１５２    スプリング
１５３    円形磁石
１５４    ＮＤ磁石
１５５    磁気センサー
１６０    水位センサー
１７０    定流量バルブ
【図１】
0004904328.tif 000002
【図２】
0004904328.tif 000003
【図３】
0004904328.tif 000004
【図４】
0004904328.tif 000005
【図５】
0004904328.tif 000006
【図６】
0004904328.tif 000007
【図７】
0004904328.tif 000008
【図８】
0004904328.tif 000009
【図９】
0004904328.tif 000010
【図１０】
0004904328.tif 000011